(57)【要約】      （修正有）【課題】既存のトイレットペーパーホルダのカバーに容易に装着でき、紙の切断部はトイレットペーパーホルダーを押えられずにカットできる様にする。【解決手段】壁などに固定する基板２の両端に設けた側板３にロール紙の芯を挿入して回転自在に保持する支軸４を設け、ロール紙６を覆うカバー５を上下動自在に前記側板に設けて成るトイレットペーパーホルダ７の前記カバー５上に、カットプレート１の構造が、カバー５と略同じ幅で且つ長さをカバー５より長くして、更に先端を切断部１３として切断手段を成形したトイレットペーパーホルダ用カットプレート１を装着する。【選択図】図３
2012071077.tif 000002
【特許請求の範囲】
【請求項１】
壁などに固定する基板（２）の両端に設けた側板（３）にロール紙の芯を挿入して回転自在に保持する支軸（４）を設け、ロール紙（６）を覆うカバー（５）を上下動自在に前記側板に設けて成るトイレットペーパーホルダ（７）の前記カバー（５）上にカットプレート（１）を装着するものであって、
該カットプレート（１）の構造が、前記カバー（５）と略同じ幅で且つ長さをカバーより長くして、更に先端を切断部（１３）として切断手段を成形したことを特徴としたトイレットペーパーホルダ用カットプレート。
【請求項２】
壁などに固定する基板（２）の両端に設けた側板（３）にロール紙の芯を挿入して回転自在に保持する支軸（４）を設け、ロール紙（６）を覆うカバー（５）を上下動自在に前記側板に設けて成るトイレットペーパーホルダ（７）の前記カバー（５）上にカットプレート（１）を装着するものであつて、
該カットプレート（１）の構造が  前記カバー（５）と略同じ幅で且つ長さをカバーより長くして先端を切断部（１３）とし、更に、前記カバー（５）の先端部（５１）を挟み固着するための挟持片（１５）を設けた挟持部（１４）を前記切断部（１３）の後方に設け、且つ、切断部に切断手段を成形したことを特徴としたトイレットペーパーホルダ用カットプレート。
【請求項３】
前記カットプレートの端部（１１）にＬ型係止部（１２）を設け、該Ｌ型係止部で前記カバー（５）の後端部（５２）を係止することを特徴として請求項１又は２記載のトイレットペーパーホルダ用カットプレート
【請求項４】
前記カットプレートの切断部（１３）を鋸歯状又は凹凸状或いはナイフのように尖状した切断手段を成形したこと特徴とした請求項１乃至３記載のいずれか１項記載のトイレットペーパーホルダ用カットプレート。
【請求項５】
前記カットプレートの表面には花模様、動物の絵柄または色彩が施されていることを特徴とした請求項１乃至４記載のいずれか１項記載のトイレットペーパーホルダ用カットプレート。
【発明の詳細な説明】
【技術分野】
【０００１】    本発明は、トイレットペーパーホルダのロール紙を切断するカットプレートに関するものである。
【背景技術】
【０００２】    従来の、トイレットペーパーホルダのカバーはロール紙を覆い被せて押える機能と紙を切断する機能とを兼ねている。
従って、ロール紙を切断する際には、カバーの先端部でロール紙に押圧して紙をカットするため、ロール紙のカット部は下に強く押し付けられて付着される。
次にロール紙を引き出すには、付着している端部を摘み出すことが困難なため、爪先で剥がしてから摘み出しているのが現状です。
この問題を解消するために多くの技術が提案されている。その一例として特開２００４−８１７３８号や実願平６−５５０３号等を照会する。
【先行技術文献】
【特許文献】
【０００３】
【特許文献１】  実願平６−５５０３号等
【発明の概要】
【発明が解決しようとする課題】
【０００４】  しかしながら、提案されている従来の対応策は、その構造がやや複雑で、既存のトイレットペーパーホルダに対応することは容易でなかった。
そこで、本発明は、ロール紙をカットすることのみを目的としたシンプルなカットプレートを提供して、従来の問題を解消するものである。
更に、従来のカバーは金属色や素材色が主体で装飾性に欠け単調であるので、トイレットペーパーホルダ本体のカバーに更に装飾を施した布製のカバーを覆い雰囲気を変えている。
本発明は装飾性豊かなカットプレートをも提供する。
【課題を解決するための手段】
【０００５】  本発明は、壁などに固定する基板（２）の両端に設けた側板（３）にロール紙の芯を挿入して回転自在に保持する支軸（４）を設け、ロール紙（６）を覆うカバー（５）を上下動自在に前記側板に軸支して成るトイレットペーパーホルダ（７）（以下トイレットペーパーホルダという。）において、前記カバー（５）上に装着するカットプレートである。そのカットプレートの構造は前記カバーと略同じ幅で、長さをカバーより少々長く薄いプレートを用い、該プレートにはロール紙を切断する手段とカバーに装着する手段とを設けたものである。【０００６】  本発明を更に詳細に述べる。
カットプレートは、トイレットペーパーホルダのカバー上に装着するので１ｍｍ程度の薄い樹脂製や、アルミニウム、銅板等で、且つカバーの形状にそう柔軟なプレートを使用する。又、プレートの幅はカバーの幅でよいが、長さはカバーより１〜３ｃｍ程度長くする。但し、これらの厚み、幅や長等は本発明を特に限定するものではなく適宜な寸法でよい。
更に、該プレートの先端にはロール紙をカットする切断手段を設ける。その手段には鋸歯のように山形にしたものとか、上面を平らにした凹凸状の歯とか、または先端をナイフのように尖状にしたもの等が考えられる。これらの手段も本発明を限定するものではないが安全性を考慮する必要がある。
尚、該カットプレートをカバーに装着する手段として、図１の様に、樹脂とカバーとを接着剤等で全面を接着するものや、図２、３の様に、カットプレートの端部にＬ型の係止部を設けてカバーの後端部に係止し、更に、カットプレートの切断部にカバーの先端部を挟持する挟持部を設ける手段がある。従って、これらの接着や係止、挟持の手段を適宜に組み合わせてカットプレートを形成すればよい。例えば、図４のようにＬ型部がないカットプレートでもよいし、更に、ビス止めでもよい。
更に、該プレートの表面に直接、色や装飾を施してもよいし。透明な樹脂製プレートを使用した場合、カバーとプレート間に好みの色紙とか絵柄を挿入して接着することも可能である。
【発明の効果】
【０００７】  本発明は、上記の様な構造をしたカットプレートであるので、既存のトイレットペーパーホルダのカバーに容易に装着ができ、ロール紙を押える機能は従来のようにカバーで行う。ロール紙のカットはカバーより１〜３ｃｍ程度突出した本カットプレートの切断部で行う。従って、紙の切断部は押えられずにカットされるので、浮き上がって垂れている部を摘み引き出せばよく、非常に容易で便利である。
このように、非常に簡単な構造をしたカットプレートであるが、その効果は非常に顕著である。
また、容易にプレートを色づけや絵柄を施すことによって、今までにない明るい雰囲気を醸し出すことが出来る。従って、従来の装飾を施した布製のカバーが不要になる利点もある。
上述の如く、このカットプレートは既存のカバーに容易に装着でき、摘み出しも容易で、装飾性豊かで、従来の技術にない非常に顕著な効果がある。
【図面の簡単な説明】
【０００８】
【図１】本発明の第１実施例を示すカットプレートの斜視図である。
【図２】本発明の第２実施例を示すカットプレートの斜視図である
【図３】本発明の第２実施例をトイレットペーパーホルダのカバーに装着した状態を示す斜視図である。
【図４】本発明の第３実施例を示すカットプレートの斜視図である
【発明を実施するための形態】
【０００９】  本発明は通常のトイレットペーパーホルダのカバー上に、ロール紙をカットするためのカットプレートを装着するものである。
【実施例】
【００１０】  第１実施例を図１に示し、図に基づき説明する。
トイレットペーパーホルダのカバーと略同じ幅で、且つ、長さをカバーより長くし、更に先端を切断部（１３）として平らな凹凸歯状（１７）を施して成る樹脂製のカットプレート（１）である。
尚、カバーと接着する為に、両面接着テープ（８）を貼付した。
本第１実施例では、カバーの寸歩が幅１２．５ｃｍ、長さ１１．１ｃｍに対し、カットプレートの寸歩は幅１２．５ｃｍ、長さ１３ｃｍで厚さ１ｍｍ程度のプレートを使用した。
尚、図示しないが、該プレートをブルー色に着色した。【００１１】  第２実施例を図２に示し、図に基づき説明する
カットプレート（１）は、端部（１１）をＬ型に曲げて係止部（１２）を構成し、切断部（１３）に挟持片（１５）を取付けて挟持部（１４）を構成し、更に、切断部を鋸歯状（１６）に成形した。  更に、トイレットペーパーホルダのカバー（５）と接する面には両面接着テープ（８）が貼付した。  更に、プレート面には花の絵柄を施した。
本第２実施例では、カバーの寸歩が幅１２．５ｃｍ、長さ１１．１ｃｍに対し、カットプレートの寸歩は幅１２．５ｃｍ、長さ１３．５ｃｍで厚さ０，７ｍｍ程度のプレートを使用した。
挟持部（１４）はカバーの先端部（５１）を該挟持部に挿入して固定するので、本実施例のように挟持片（１５）を接着して挟持部を形成してもよいし。又は、第３実施例の如く同一プレートを強く折り曲げて密着させて挟持片とし挟持部を成形してもよい。【００１２】  前記第２実施例のカットプレート（１）をトイレットペーパーホルダのカバー（５）に装着した状態を図３に示す。
先ず、挟持部（１４）にカバーの先端部（５１）を挿入し、更に、プレートの中央部とカバーの挟持部に接着剤で密着し、更に、Ｌ型の係止部（１２）をカバーの後端部（５２）に係止し固定した。
尚、カットプレートの中央部及び挟持片に両面接着テープ（８）を事前に貼付しておくと便利である。
カットプレートをカバーに装着する方法や切断部の強度等は、本第２実施例が最適である。【００１３】  第３実施例を図４に示し図に基づき説明する。
本実施例は第２実施例のＬ型係止部（１２）を無くし、挟持部（１４）はプレートを折り曲げて挟持片（１５）を形成した。更に、切断部に平らな凹凸歯状（１７）を施した。
【符号の説明】
【００１４】１    カットプレート
１１  カットプレートの端部
１２  カットプレートのＬ型係止部
１３  カットプレートの切断部
１４  カットプレートの挟持部
１５  カットプレートの挟持部の挟持片
１６  カットプレートの切断部の鋸歯状
１７  カットプレートの切断部の凹凸歯状
２    基板
３    側板
４    支軸
５    カバー
５１  カバーの先端部
５２  カバーの後端部
６    ロール紙
７    トイレットペーパーホルダ
８    両面接着テープ
【図１】
2012071077.tif 000003
【図２】
2012071077.tif 000004
【図３】
2012071077.tif 000005
【図４】
2012071077.tif 000006